(57)【要約】【課題】ユーザの意思に反して液体が散布されることを防ぐことができるノズル装置を提供する。【解決手段】液体を吐出する吐出口５を有する本体１と、本体１に一端２２が取り付けられ、液体を吐出させるレバー２とを備えるノズル装置１００において、本体１に設けられ、レバー２の動作を制限する第１制限部７と、レバー２の一端２２側に設けられ、第１制限部７との掛止を行う貫通孔２４とを備える。【選択図】図４
2019030824.tif 000002
【特許請求の範囲】
【請求項１】
液体を吐出する吐出口を有する本体と、前記本体に一端が取り付けられ、液体を吐出させるレバーとを備えるノズル装置において、
前記本体に設けられ、前記レバーの動作を制限する第１制限部と、
前記レバーの前記一端側に設けられ、前記第１制限部との掛止を行う掛止部と
を備えることを特徴とするノズル装置。
【請求項２】
前記レバーは、前記掛止に係る掛止位置、及び、液体の吐出が開始する開始位置を含む軌道を搖動し、
前記掛止の解除によって、前記レバーが前記掛止位置から前記開始位置に移動可能となることを特徴とする請求項１に記載のノズル装置。
【請求項３】
前記第１制限部は常に前記レバーを前記掛止位置に押し付けることを特徴とする請求項２に記載のノズル装置。
【請求項４】
前記掛止部は前記レバーを貫通する貫通孔を有し、
前記第１制限部は棒状であり、前記貫通孔を通って前記レバーを貫通することを特徴とする請求項１から３の何れか一つに記載のノズル装置。
【請求項５】
前記第１制限部は一端が前記本体に取り付けられ、回転可能であり、
前記本体に設けられ、弾性復元力によって、前記第１制限部の他端を前記レバーの前記一端側に付勢する弾性部材を備えることを特徴とする請求項１から４の何れか一つに記載のノズル装置。
【請求項６】
前記第１制限部は、少なくとも前記本体及び前記レバーと異なる色を有することを特徴とする請求項１から５の何れか一つに記載のノズル装置。
【請求項７】
前記レバーの他端部に設けられ、前記レバーの動作を制限する第２制限部を備えることを特徴とする請求項１から６の何れか一つに記載のノズル装置。
【発明の詳細な説明】
【技術分野】
【０００１】
本発明は、液体を吐出する吐出口を有する本体と、前記本体に一端が取り付けられ、液体を吐出させるレバーとを備えるノズル装置に関する。
【背景技術】
【０００２】
従来から、園芸、農業、清掃等の分野において、液体を噴射するノズル装置が広く使用されている。
【０００３】
例えば、特許文献１においては、ノズル本体に対する操作部材の接近動作の際、ストッパーが操作部材の係合部に係止されることにより、操作部材の動作がロックされて通水状態が維持され、ロック解除手段の押圧操作に伴い、ストッパーが操作部材の係合部から外されることによって、操作部材の動作のロックが解除されて止水状態に戻る散水ノズルについて開示されている。
【先行技術文献】
【特許文献】
【０００４】
【特許文献１】特開２００７−１６７７０５号公報
【発明の概要】
【発明が解決しようとする課題】
【０００５】
一方、場合によっては、ノズル装置が農薬などの薬品の散布に用いられることもあり得る。これに対しては、誤ったレバーの操作により、又は第３者によるレバーの操作により、ユーザの意思に反して薬品が散布されることを防ぐために、レバーの動きを制限するストッパーが設けられている。
【０００６】
しかし、ストッパーを作動させること自体をユーザが忘れた場合は、誤ったレバーの操作又は第３者によるレバーの操作が可能となるので、ユーザの意思に反する薬品の散布が起き得る。このような問題に対して、引用文献１では工夫されておらず、引用文献１の散水ノズルでは解決できない。
【０００７】
本発明は、斯かる事情に鑑みてなされたものであり、その目的とするところは、液体を吐出する吐出口を有する本体と、前記本体に一端が取り付けられ、液体を吐出させるレバーとを備えるノズル装置において、ユーザの意思に反して液体が散布されることを防ぐことができるノズル装置を提供することにある。
【課題を解決するための手段】
【０００８】
本実施の形態に係るノズル装置は、液体を吐出する吐出口を有する本体と、前記本体に一端が取り付けられ、液体を吐出させるレバーとを備えるノズル装置において、前記本体に設けられ、前記レバーの動作を制限する第１制限部と、前記レバーの前記一端側に設けられ、前記第１制限部との掛止を行う掛止部とを備えることを特徴とする。
【０００９】
本実施の形態にあっては、前記レバーの前記掛止部が前記第１制限部との掛止を行うことによって、前記レバーの動作が制限される。
【００１０】
本実施の形態に係るノズル装置は、前記レバーは、前記掛止に係る掛止位置、及び、液体の吐出が開始する開始位置を含む軌道を搖動し、前記掛止の解除によって、前記レバーが前記掛止位置から前記開始位置に移動可能となることを特徴とする。
【００１１】
本実施の形態にあっては、前記レバーの前記掛止部と前記第１制限部との掛止が解除された場合、前記レバーが前記掛止位置から前記開始位置に移動可能となるのみであり、前記吐出口から直ちに液体が吐出されるわけではない。
【００１２】
本実施の形態に係るノズル装置は、前記第１制限部は常に前記レバーを前記掛止位置に押し付けることを特徴とする。
【００１３】
本実施の形態にあっては、前記第１制限部は常に前記レバーを前記掛止位置に押し付けるので、例えば、ユーザが前記レバーから手を放した場合、前記レバーが前記掛止位置まで移動し、再び前記第１制限部との掛止が行われる。
【００１４】
本実施の形態に係るノズル装置は、前記掛止部は前記レバーを貫通する貫通孔を有し、前記第１制限部は棒状であり、前記貫通孔を通って前記レバーを貫通することを特徴とする。
【００１５】
本実施の形態にあっては、前記第１制限部が前記掛止部の貫通孔を通った状態のまま、斯かる掛止を行う。従って、誤った操作、又は外部衝撃等によって、前記掛止が簡単に解除されることを防ぐことができる。
【００１６】
本実施の形態に係るノズル装置は、前記第１制限部は一端が前記本体に取り付けられ、回転可能であり、前記本体に設けられ、弾性復元力によって、前記第１制限部の他端を前記レバーの前記一端側に付勢する弾性部材を備えることを特徴とする。
【００１７】
本実施の形態にあっては、前記弾性部材の弾性復元力によって、前記第１制限部の他端が前記レバーの前記一端側に付勢される。これによって、前記第１制限部は常に前記レバーを前記掛止位置に押し付ける。
【００１８】
本実施の形態に係るノズル装置は、前記第１制限部は、少なくとも前記本体及び前記レバーと異なる色を有することを特徴とする。
【００１９】
本実施の形態にあっては、前記第１制限部は、少なくとも前記本体及び前記レバーと異なる色を有するので、ユーザの注意を喚起させることができる。
【００２０】
本実施の形態に係るノズル装置は、前記レバーの他端部に設けられ、前記レバーの動作を制限する第２制限部を備えることを特徴とする。
【００２１】
本実施の形態にあっては、前記第１制限部に加え、前記第２制限部を備えているので、前記レバーの動作をより確実に制限できる。
【発明の効果】
【００２２】
本実施の形態によれば、ユーザの意思に反してノズル装置が液体を散布することを防ぐことができる。
【図面の簡単な説明】
【００２３】
【図１】本実施の形態に係るノズル装置の外見を示す斜視図である。
【図２】本実施の形態に係るノズル装置の断面図である。
【図３】本実施の形態に係るノズル装置において、第２制限部の作用を説明する説明図である。
【図４】本実施の形態に係るノズル装置において、第１制限部によるレバーの弁開動作のロック・解除を説明する説明図である。
【図５】第１制限部によってレバー２弁開動作が解除された場合における、レバーの動作を説明する説明図である。
【発明を実施するための形態】
【００２４】
以下に、実施の形態に係るノズル装置を、図面に基づいて詳述する。
【００２５】
図１は、本実施の形態に係るノズル装置の外見を示す斜視図である。図中、符号１００は本実施の形態に係るノズル装置を表す。ノズル装置１００は、本体１と、レバー２とを備えている。
【００２６】
本体１は、ユーザによって把持される取っ手部３を備えており、取っ手部３の端部には、液体が本体１内に流入する流入口４が設けられている。また、本体１の一端部には流入口４から流入した液体を吐出する吐出口５が設けられている。
【００２７】
レバー２は、一端が本体１に取り付けられており、該一端を中心に回転可能である。また、レバー２は、後述する弁体を操作して弁開又は弁閉させることによって、吐出口５からの液体の吐出を制御する。
【００２８】
更に、ノズル装置１００は、レバー２の回転軌道に沿ってレバー２を取り囲む、Ｌ字形状のレバーガード６を備えている。レバーガード６は、ノズル装置１００の落下、外部からの衝撃等によって、ユーザの意思に反してレバー２が操作され、液体が吐出されることを防ぐ。
【００２９】
また、本実施の形態に係るノズル装置１００は、レバー２の動作を制限する第１制限部７と、第２制限部８とを更に備えている。第１制限部７は本体１に設けられており、第２制限部８はレバー２の他端側に設けられている。本実施の形態に係るノズル装置１００は第１制限部７及び第２制限部８によって、レバー２の誤動作を確実に防ぐことができる。
【００３０】
本体１は、レバーガード６に面する内側面に、第１開口１３及び第２開口１４が吐出口５側から順に形成されている。第１開口１３及び第２開口１４は矩形の貫通孔である。第１開口１３を介してレバー２は本体１を内外に貫通しており、第２開口１４を介して第１制限部７が本体１を内外に貫通している。
【００３１】
図２は、本実施の形態に係るノズル装置１００の断面図である。
【００３２】
流入口４から流入された液体は、流入路４１を経て弁室１１に流れ込む。弁室１１に流れ込んだ液体は、ユーザがレバー２を操作することによって弁開になった場合、吐出路５１に流れる。液体は吐出路５１を経て吐出口５から吐出される。
【００３３】
弁室１１は、弁体（図示せず）を有しており、該弁体には弁軸の一端が連結されている。前記弁軸の他端１２は弁室１１からはみ出ており、レバー２の当接部２１の付近に配置されている。当接部２１と、前記弁軸の他端１２との間には所定の間隔が設けられている。また、弁室１１は弁座（図示せず）を有している。前記弁体は、例えば、球状であり、前記弁座との離接を行う。前記弁体が前記弁座と接している場合、弁閉となり、流入路４１からの液体が吐出路５１に流れることが出来ない。また、前記弁体が前記弁座から離れた場合、弁開となり、流入路４１からの液体が吐出路５１に流れる。更に、前記弁体は前記弁座と接する方向にばね（図示せず）によって付勢されている。
【００３４】
レバー２は、一端２２が、第１開口１３を介して、本体１の吐出路５１付近に回転可能に取り付けられている。従って、レバー２は一端２２を中心に回転可能であるが、レバー２の動きはレバーガード６によって制限されている。従って、レバー２は本体１及び取っ手部３と離接する方向に搖動する。
【００３５】
レバー２が本体１及び取っ手部３と接近する方向に移動する際、当接部２１が前記弁軸の他端１２を前記弁軸の軸方向に押し付ける。これによって、前記弁軸の一端側の弁体が前記弁座から離れて弁開となり、液体が吐出路５１に流れ出す。一方、レバー２が本体１及び取っ手部３から遠ざかる方向に移動する際、例えば、ユーザがレバー２から手を放した場合、前記ばねの作用によって前記弁体が前記弁座と接する方向に押し付けられて弁閉となり、液体が吐出路５１に流れなくなる。
【００３６】
レバー２は、前記搖動方向（離接方向）に所定の厚みを有するエス（Ｓ）文字の形状を有している。レバー２はその長手方向において、一端２２の付近に、レバー２を厚み方向に貫通する貫通孔２４（掛止部）を有している。貫通孔２４は、レバー２の長手方向に沿って形成された矩形の孔である。第１制限部７は貫通孔２４を通ってレバー２を貫通するように設けられており、貫通孔２４は後述するように、第１制限部７との掛止を行う。レバー２の長手方向において貫通孔２４は第１制限部７より十分大きい寸法を有するので、第１制限部７が貫通孔２４を貫通している状態のまま、レバー２は本体１及び取っ手部３と離接する方向に搖動ができる。
【００３７】
レバー２の他端２３側には把持部２５が形成されている。例えば、ユーザは把持部２５を把持してレバー２を本体１及び取っ手部３に接近する方向に引っ張る（搖動させる）ことによって弁開し、吐出口５から液体を吐出させる。
【００３８】
把持部２５には第２制限部８が設けられている。第２制限部８は、把持部２５において、取っ手部３と対向する内側面に設けられている。第２制限部８は略短冊形状を有しており、第２制限部８の一端８１が把持部２５へ回転可能に取り付けられている。すなわち、第２制限部８は一端８１を中心に回転する。
【００３９】
図３は、本実施の形態に係るノズル装置１００において、第２制限部８の作用を説明する説明図である。
第２制限部８は一端８１を中心に、図３中の矢印方向に、他端８２が回転する。一方、取っ手部３において把持部２５と対向する面には、流入口４側に突起３１が形成されている。第２制限部８の他端８２は回転し、突起３１に引っ掛かることによって停止する（図３中、二点鎖線にて表示）。この際、レバー２が本体１及び取っ手部３に接近する方向へ移動する動作（以下、弁開動作という）はできなくなる。すなわち、ユーザは必要に応じて、突起３１に引っ掛かるまで第２制限部８（他端８２）を回転させることにより、レバー２の弁開動作をロックさせることができる。
【００４０】
また、本実施の形態に係るノズル装置１００はこれに限るものでない。第２制限部８に切り欠きを設け、かつ、把持部２５の前記内側面に前記切り欠きに対応する突出部を形成することによって、前記切り欠き及び前記突出部の係止ができるように構成しても良い。これによって、ユーザは、第２制限部８を使用しない場合、第２制限部８をレバー２に固定させることができ、レバー２の弁開動作の解除状態を維持できる。
【００４１】
更に、第２制限部８は、少なくとも本体１、取っ手部３及びレバーガード６と異なる色を有する。これによって、ユーザが第２制限部８を操作してレバー２の弁開動作をロック・解除する際、ユーザの注意を喚起させることができる。
【００４２】
上述したように、本実施の形態に係るノズル装置１００は、第１制限部７を備えている。第１制限部７は本体１に設けられている。第１制限部７は、一端７１が、本体１の第２開口１４を介して、弁室１１付近に、回転可能に取り付けられている。第１制限部７は一端７１を中心に回転可能である。
【００４３】
第１制限部７は、他端７２がレバー２に向けて延びている。第１制限部７の他端７２は、貫通孔２４を通ってレバー２を貫通し、レバー２においてレバーガード６と対向する面よりもはみ出ている。また、このようにはみ出ている部分は、レバー２に沿って屈曲して屈曲部７５を形成している。従って、第１制限部７が貫通孔２４から抜けることを防止できる。
【００４４】
本体１には、後述するように、第１制限部７の他端７２を、レバー２の一端２２に向けて付勢する弾性部材Ｓを備えている。すなわち、第１制限部７には、他端７２をレバー２の一端２２に向けて回転させる力が常に働く。従って、掛止の際には、貫通孔２４においてレバー２の一端２２に近い内側面２４１が、第１制限部７と当接する。
【００４５】
第１制限部７は、他端７２側の端部における内側面２４１に対向する位置に、段差７４を有している。段差７４は、貫通孔２４の縁部の形状に対応するように凹設されている。
換言すれば、第１制限部７の他端７２側の端部には、段差７４及び屈曲部７５からなる凹部７３が形成されている。図２に示すように、第１制限部７の延び方向における凹部７３の寸法Ｌは、レバー２の厚みより少し大きい。従って、レバー２において貫通孔２４の内側面２４１に係る縁部（以下、係合縁部２４２）が、第１制限部７の凹部７３と係合を行う。
【００４６】
このように、係合縁部２４２が凹部７３と係合を行った場合、斯かる係合が解除されない限り、レバー２の動作はできなくなる。すなわち、係合縁部２４２及び凹部７３を係合させることによってレバー２が第１制限部７に掛止されるので、ユーザはレバー２の弁開動作をロックさせることができる。
【００４７】
以下、第１制限部７によるレバー２の弁開動作のロックを言及しながら、レバー２の動作について詳しく説明する。図４は、本実施の形態に係るノズル装置１００において、第１制限部７によるレバー２の弁開動作のロック・解除を説明する説明図であり、図５は、第１制限部７によってレバー２の弁開動作が解除された場合における、レバー２の動作を説明する説明図である。以下、説明の便宜上、第２制限部８による、レバー２の弁開動作のロックは考慮しないものとする。
【００４８】
上述したように、係合縁部２４２及び凹部７３が係合し、レバー２が第１制限部７に掛止される場合、レバー２の弁開動作はロックされる。従って、レバー２の弁開動作を希望するユーザは、第１制限部７によるレバー２の掛止を解除する必要がある。この際、ユーザは、例えば、人差し指を用いて、第１制限部７の他端７２の屈曲部７５を図４中の矢印方向に押して、第１制限部７を回転させる（図４中、二点鎖線部参照）。（以下、この際の第１制限部７の回転方向を正方向という）
【００４９】
これによって、係合縁部２４２及び凹部７３の係合が解除されて第１制限部７によるレバー２の掛止が解除されるので、本体１及び取っ手部３に接近する方向へレバー２が回転（移動）動作することが可能となる。（以下、この際のレバー２の回転方向を正方向という）
【００５０】
一方、本体１には、その弾性復元力によって、第１制限部７の他端７２をレバー２の一端２２側に付勢する弾性部材Ｓが設けられている。弾性部材Ｓは、例えば線状のゴムであり、一端がレバー２の一端２２付近に固定され、他端が第１制限部７の一端７１の部分に固定されており、第１制限部７（他端７２）には常に弾性部材Ｓの弾性復元力が作用する。従って、第１制限部７には、第１制限部７（他端７２）をレバー２の一端２２に向けて回転させる力が常に働く。このような弾性部材Ｓの働きによって、第１制限部７は、本体１及び取っ手部３から遠ざかる方向にレバー２を回転させることとなる。換言すれば、第１制限部７は、常に、レバー２との掛止が行われる位置までレバー２を移動させる方向に付勢する。なお、以上の記載に限るものでなく、弾性部材Ｓがばねであっても良い。
【００５１】
従って、本実施の形態に係るノズル装置１００においては、ユーザが第１制限部７によるレバー２の掛止を一旦解除したとしても、ユーザがレバー２の把持部２５から手を放した場合は、第１制限部７が自らレバー２との掛止を行う。すなわち、ユーザがレバー２の把持部２５から手を放すと、弾性部材Ｓの働きによって、第１制限部７が前記正方向と反対方向に回転し、これによって、レバー２と第１制限部７との掛止が行われる位置まで、レバー２が前記正方向と反対方向に回転される。
【００５２】
このような構成を有するので、ユーザが、レバー２の弁開動作をロックすること、すなわち、第１制限部７又は第２制限部８を操作することを忘れた場合であっても、自らレバー２の弁開動作のロックが行われ、ユーザの意思に反して液体が吐出されることを確実に防止できる。
【００５３】
また、本実施の形態に係るノズル装置１００においては、上述したように、第１制限部７及びレバー２の掛止が、レバー２の他端２３側の把持部２５から離れた、レバー２の一端２２側にて行われている。従って、レバー２の弁開動作のためにユーザが把持部２５を握る操作の際に第１制限部７の屈曲部７５に触れて、レバー２の掛止を誤って解除することを未然に防止できる。
【００５４】
更に、第１制限部７は、少なくとも本体１、取っ手部３及びレバーガード６と異なる色を有する。好ましくは、第２制限部８とも異なる色を有する。これによって、ユーザが第１制限部７を操作してレバー２の弁開動作をロック・解除する際、ユーザの注意を喚起させることができる。
【００５５】
一方、第１制限部７によるレバー２の掛止が解除された場合、すなわちレバー２の弁開動作が解除された場合であっても、直ちに液体の吐出が行われるものではない。以下、詳しく説明する。
【００５６】
図５に示すように、レバー２の弁開動作の際、レバー２はＰ１位置（掛止位置）からＰ２位置（開始位置）を経てＰ３位置まで移動する。Ｐ１位置は、レバー２の弁開動作がロックされている場合、すなわち、第１制限部７及びレバー２が掛止している場合のレバー２の位置である。Ｐ２位置は液体の吐出が開始する臨界位置である。レバー２がＰ２位置よりＰ３位置側に移動した場合、液体の吐出が開始される。上述したように、レバー２の当接部２１と、前記弁軸の他端１２との間には所定の間隔が設けられており、レバー２がＰ２位置に位置した場合、初めて当接部２１が前記弁軸の他端１２と当接する。よって、レバー２がＰ１位置からＰ２位置まで移動したとしても、液体の吐出は生じない。
【００５７】
すなわち、第１制限部７によるレバー２の掛止が解除されることによってレバー２の弁開動作が解除された場合、レバー２はＰ１位置からＰ２位置に移動することが可能になるのみである。レバー２がＰ１位置からＰ２位置まで移動しても、Ｐ２位置よりＰ３位置側（正方向）に移動しない限り、液体の吐出が行われることはない。
【００５８】
従って、ユーザが誤ってレバー２の弁開動作を解除した場合でも、直ぐに自分の誤りに気付いてレバー２の操作を中止したときは、液体の吐出を止めることができる。
【００５９】
また、ユーザがレバー２を引っ張ることによってＰ２位置よりＰ３位置側に移動させた場合、当接部２１が前記弁軸（他端１２）を押し付けて弁開状態になるので、吐出口５から液体が吐出される。
【００６０】
以上のように、本実施の形態に係るノズル装置１００は、第２制限部８に加え、第１制限部７を備えている。例えば、ユーザが、第２制限部８を操作してレバー２の弁開動作をロックさせることを忘れた場合でも、第１制限部７によってレバー２の弁開動作が自らロックされる。従って、ユーザの意思に反するレバー２の操作を極力抑制することができる。
更に、ユーザがレバー２の把持部２５から手を放した場合は、自動的に第１制限部７によるレバー２との掛止が行われるので、ユーザがレバー２の弁開動作のロックを忘れた場合であっても、ユーザの意思に反して液体が吐出されることを防止できる。
【００６１】
また、本実施の形態に係るノズル装置１００においては、第１制限部７が貫通孔２４内を貫通している状態で第１制限部７及びレバー２（貫通孔２４）の掛止が行われている。従って、第１制限部７及びレバー２の掛止が保護され、例えば、外部衝撃、又は誤って屈曲部７５に触れたことで、斯かる掛止が簡単に解除されることを防止できる。
【符号の説明】
【００６２】
１  本体
２  レバー
５  吐出口
７  第１制限部
８  第２制限部
２２  一端
２４  貫通孔
７１  一端
１００  ノズル装置
Ｓ  弾性部材
【図１】
2019030824.tif 000003
【図２】
2019030824.tif 000004
【図３】
2019030824.tif 000005
【図４】
2019030824.tif 000006
【図５】
2019030824.tif 000007